(57)【要約】【課題】複数の加入者情報への着信に対する効果的な対応を実現する。【解決手段】管理装置は、端末装置を識別する情報と、待ち受け中である番号の情報と、待ち受け中ではない番号の情報と、を対応付けて記憶する記憶部と、発信側の端末装置から前記待ち受け中ではない番号に対する発信があったことを検出した場合に、前記待ち受け中ではない番号に対応付けられた前記識別情報を有する端末装置に対して、前記待ち受け中ではない番号を待ち受け中である番号へ切り替える要求を送信し、当該切り替えが完了した場合に、その旨を前記発信側の端末装置へ通知する制御部と、を備える。【選択図】図１
2014183381.tif 000002
【特許請求の範囲】
【請求項１】
端末装置を識別する情報と、待ち受け中である番号の情報と、待ち受け中ではない番号の情報と、を対応付けて記憶する記憶部と、
発信側の端末装置から前記待ち受け中ではない番号に対する発信があったことを検出した場合に、前記待ち受け中ではない番号に対応付けられた前記識別情報を有する端末装置に対して、前記待ち受け中ではない番号を待ち受け中である番号へ切り替える要求を送信し、当該切り替えが完了した場合に、その旨を前記発信側の端末装置へ通知する制御部と、
を備える管理装置。
【請求項２】
前記記憶部は、前記端末装置を識別する情報に対応付けて、更に、切り替え許可番号又は切り替え拒否番号のうちの一方又は両方を記憶し、
前記制御部は、前記切り替え許可番号が記憶されている場合には、前記発信側の端末装置の番号が前記切り替え許可番号と一致した場合に前記番号の切り替えを実行し、また、前記切り替え拒否番号が記憶されている場合には、前記発信側の端末装置の番号が前記切り替え拒否番号と一致した場合に前記番号の切り替えを不実行とする、
請求項１に記載の管理装置。
【請求項３】
それぞれ異なる番号の情報を記憶する複数の媒体と接続する接続部と、
前記接続部に接続される前記媒体に記憶される前記番号の情報について、待ち受け中である番号を特定する情報を記憶する記憶部と、
ユーザーの操作或いは所定の処理手順により待ち受け中である番号が変更された場合に、前記記憶部に記憶される情報を更新し、前記更新に関する情報を管理装置に対して送信し、また、前記管理装置から待ち受け中ではない番号を待ち受け中である番号へ切り替える要求を受信した場合に、該当する待ち受け中ではない番号を待ち受け中である番号へ切り替える制御部と、
を備える端末装置。
【請求項４】
端末装置と、管理装置を有し、
前記端末装置は、それぞれ異なる番号の情報を記憶する複数の媒体と接続する接続部と、前記接続部に接続される前記媒体に記憶される前記番号の情報について、待ち受け中である番号を特定する情報を記憶する記憶部と、ユーザーの操作或いは所定の処理手順により待ち受け中である番号が変更された場合に、前記記憶部に記憶される情報を更新し、前記更新に関する情報を前記管理装置に対して送信し、また、前記管理装置から待ち受け中ではない番号を待ち受け中である番号へ切り替える要求を受信した場合に、該当する待ち受け中ではない番号を待ち受け中である番号へ切り替える制御部と、を備え、
前記管理装置は、端末装置を識別する情報と、待ち受け中である番号の情報と、待ち受け中ではない番号の情報と、を対応付けて記憶する記憶部と、発信側の端末装置から前記待ち受け中ではない番号に対する発信があったことを検出した場合に、前記待ち受け中ではない番号に対応付けられた前記識別情報を有する端末装置に対して、前記待ち受け中ではない番号を待ち受け中である番号へ切り替える要求を送信し、当該切り替えが完了した場合に、その旨を前記発信側の端末装置へ通知し、また、端末装置から受信した更新に関する情報に基づいて、前記記憶部の情報を更新する制御部と、を備える、
通信システム。
【請求項５】
端末装置は、それぞれ異なる番号の情報を記憶する複数の媒体と接続する接続部に接続される前記媒体に記憶される前記番号の情報について、待ち受け中である番号を特定する情報を記憶し、ユーザーの操作或いは所定の処理手順により待ち受け中である番号が変更された場合に、前記記憶される情報を更新し、前記更新に関する情報を管理装置に対して送信し、
前記管理装置は、端末装置を識別する情報と、待ち受け中である番号の情報と、待ち受け中ではない番号の情報と、を対応付けて記憶し、発信側の端末装置から前記待ち受け中ではない番号に対する発信があったことを検出した場合に、前記待ち受け中ではない番号に対応付けられた前記識別情報を有する端末装置に対して、前記待ち受け中ではない番号を待ち受け中である番号へ切り替える要求を送信し、当該切り替えが完了した場合に、その旨を前記発信側の端末装置へ通知し、
前記端末装置は、前記管理装置から待ち受け中ではない番号を待ち受け中である番号へ切り替える要求を受信した場合に、該当する待ち受け中ではない番号を待ち受け中である番号へ切り替え、
前記管理装置は、前記端末装置から前記更新に関する情報を受信した場合に、受信した情報に基づいて、前記管理装置において記憶される情報を更新する、
通信方法。
【発明の詳細な説明】
【技術分野】
【０００１】
本発明は、管理装置、端末装置、通信システム及び通信方法に関する。
【背景技術】
【０００２】
携帯網の端末の加入者を識別する情報（加入者情報）を記憶するＳＩＭ（Ｓｕｂｓｃｒｉｂｅｒ  Ｉｄｅｎｔｉｔｙ  Ｍｏｄｕｌｅ）のカードが、端末と接続されて、用いられる。１個の端末に複数のＳＩＭカードが挿入されるものの一例として、ＰＨＳ（Ｐｅｒｓｏｎａｌ  Ｈａｎｄｙｐｈｏｎｅ  Ｓｙｓｔｅｍ）とＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）という組み合わせなど、異なるＲＡＴ（Ｒａｄｉｏ  Ａｃｃｅｓｓ  Ｔｅｃｈｎｏｌｏｇｙ）である場合に、それぞれの加入者情報の番号に対して同時に待ち受けする端末が実現、発売されている。また、他の例として、ＷＣＤＭＡとＷＣＤＭＡという組み合わせなど、同じＲＡＴである場合に、いずれかの加入者情報が有効と選択されることで、選択された加入者情報の番号で待ち受けする端末が実現されている。
【０００３】
前者は、複数の加入者情報に関して同時待ち受けを行うという観点には対応できているが、複数の同じＲＡＴでの待ち受けという観点には対応できていないという問題がある。また、前者は、複数のＲＡＴに対応して無線部が複数必要になるという問題があり、待ち受け時の消費電流が増加してしまうという問題がある。後者は、同じＲＡＴの組み合わせに対応しているが、有効になっている加入者情報以外での着信ができないという問題がある。
上記の問題を解決する技術として、特許文献１に記載された技術では、複数の加入者情報への着信に対する解決手法として、位置登録していない加入者情報について着信転送サービスにより着信を実現し、これにより、有効となっていない加入者情報への着信を実現する（特許文献１参照。）。
【先行技術文献】
【特許文献】
【０００４】
【特許文献１】特開２００８−２３６３４６号公報
【特許文献２】特開２００２−９５０３８号公報
【特許文献３】特開２００７−１８０８３８号公報
【発明の概要】
【発明が解決しようとする課題】
【０００５】
しかしながら、特許文献１に記載された技術では、位置登録している加入者情報以外の番号への着信である場合、転送の際の通話時間分の従量課金が発生し、ユーザーにとってデメリットが発生するという問題があった。
【０００６】
本発明は、このような事情に鑑みてなされたものであり、その目的は、複数の加入者情報への着信に対する効果的な対応を実現することができる管理装置、端末装置、通信システム及び通信方法を提供することにある。
【課題を解決するための手段】
【０００７】
本発明は上記の課題を解決するためになされたものであり、本発明の一態様は、端末装置を識別する情報と、待ち受け中である番号の情報と、待ち受け中ではない番号の情報と、を対応付けて記憶する記憶部と、発信側の端末装置から前記待ち受け中ではない番号に対する発信があったことを検出した場合に、前記待ち受け中ではない番号に対応付けられた前記識別情報を有する端末装置に対して、前記待ち受け中ではない番号を待ち受け中である番号へ切り替える要求を送信し、当該切り替えが完了した場合に、その旨を前記発信側の端末装置へ通知する制御部と、を備える管理装置である。
本発明の一態様は、それぞれ異なる番号の情報を記憶する複数の媒体と接続する接続部と、前記接続部に接続される前記媒体に記憶される前記番号の情報について、待ち受け中である番号を特定する情報を記憶する記憶部と、ユーザーの操作或いは所定の処理手順により待ち受け中である番号が変更された場合に、前記記憶部に記憶される情報を更新し、前記更新に関する情報を管理装置に対して送信し、また、前記管理装置から待ち受け中ではない番号を待ち受け中である番号へ切り替える要求を受信した場合に、該当する待ち受け中ではない番号を待ち受け中である番号へ切り替える制御部と、を備える端末装置である。
本発明の一態様は、端末装置と、管理装置を有し、前記端末装置は、それぞれ異なる番号の情報を記憶する複数の媒体と接続する接続部と、前記接続部に接続される前記媒体に記憶される前記番号の情報について、待ち受け中である番号を特定する情報を記憶する記憶部と、ユーザーの操作或いは所定の処理手順により待ち受け中である番号が変更された場合に、前記記憶部に記憶される情報を更新し、前記更新に関する情報を前記管理装置に対して送信し、また、前記管理装置から待ち受け中ではない番号を待ち受け中である番号へ切り替える要求を受信した場合に、該当する待ち受け中ではない番号を待ち受け中である番号へ切り替える制御部と、を備え、前記管理装置は、端末装置を識別する情報と、待ち受け中である番号の情報と、待ち受け中ではない番号の情報と、を対応付けて記憶する記憶部と、発信側の端末装置から前記待ち受け中ではない番号に対する発信があったことを検出した場合に、前記待ち受け中ではない番号に対応付けられた前記識別情報を有する端末装置に対して、前記待ち受け中ではない番号を待ち受け中である番号へ切り替える要求を送信し、当該切り替えが完了した場合に、その旨を前記発信側の端末装置へ通知し、また、端末装置から受信した更新に関する情報に基づいて、前記記憶部の情報を更新する制御部と、を備える、通信システムである。
本発明の一態様は、端末装置は、それぞれ異なる番号の情報を記憶する複数の媒体と接続する接続部に接続される前記媒体に記憶される前記番号の情報について、待ち受け中である番号を特定する情報を記憶し、ユーザーの操作或いは所定の処理手順により待ち受け中である番号が変更された場合に、前記記憶される情報を更新し、前記更新に関する情報を管理装置に対して送信し、前記管理装置は、端末装置を識別する情報と、待ち受け中である番号の情報と、待ち受け中ではない番号の情報と、を対応付けて記憶し、発信側の端末装置から前記待ち受け中ではない番号に対する発信があったことを検出した場合に、前記待ち受け中ではない番号に対応付けられた前記識別情報を有する端末装置に対して、前記待ち受け中ではない番号を待ち受け中である番号へ切り替える要求を送信し、当該切り替えが完了した場合に、その旨を前記発信側の端末装置へ通知し、前記端末装置は、前記管理装置から待ち受け中ではない番号を待ち受け中である番号へ切り替える要求を受信した場合に、該当する待ち受け中ではない番号を待ち受け中である番号へ切り替え、前記管理装置は、前記端末装置から前記更新に関する情報を受信した場合に、受信した情報に基づいて、前記管理装置において記憶される情報を更新する、通信方法である。
【発明の効果】
【０００８】
本発明によれば、複数の加入者情報への着信に対する効果的な対応を実現することができる管理装置、端末装置、通信システム及び通信方法を提供することができる。
【図面の簡単な説明】
【０００９】
【図１】本発明の一実施形態に係る通信システムの構成の一例を示す概略ブロック図である。
【図２】本発明の一実施形態に係る携帯型の端末装置の構成の一例を示す概略ブロック図である。
【図３】本発明の一実施形態に係る端末内管理テーブルの一例を示す図である。
【図４】本発明の一実施形態（第１実施形態）に係る管理装置内管理テーブルの一例を示す図である。
【図５】本発明の一実施形態に係る端末装置の電源オン時に行われる処理の手順の一例を示すフローチャート図である。
【図６】本発明の一実施形態に係る着信要求が発生したときに行われる処理の手順の一例を示すタイムチャート図である。
【図７】本発明の一実施形態（第２実施形態）に係る管理装置内管理テーブルの一例を示す図である。
【発明を実施するための形態】
【００１０】
以下、図面を参照しながら本発明の実施形態について詳しく説明する。
［第１実施形態］
図１は、本発明の一実施形態に係る通信システムの構成の一例を示す概略ブロック図である。本実施形態に係る通信システムは、端末装置１と、番号管理装置２と、インターネット１１と、複数のモバイルネットワーク１２−Ａ、１２−Ｂ、・・・を備える。番号管理装置２は、サーバ装置などとして構成され、インターネット１１上に配置され（インターネット１１に接続され）、各モバイルネットワーク１２−Ａ、１２−Ｂ、・・・の外部に設けられる。各モバイルネットワーク１２−Ａ、１２−Ｂ、・・・は、インターネット１１上に配置される（インターネット１１に接続される）。端末装置１は、各モバイルネットワーク１２−Ａ、１２−Ｂ、・・・に設けられた装置（例えば、基地局装置）と、無線で接続される。なお、通信システムには、複数の端末装置が設けられている。
端末装置１と番号管理装置２は、インターネット１１や各モバイルネットワーク１２−Ａ、１２−Ｂ、・・・を介して、互いに通信する。本実施形態では、インターネット１１上の番号管理装置２との情報のやり取りは、パケット通信により行われる。
番号管理装置２は、通信部や、記憶部や、制御部を備える。通信部は、通信を行う機能を有し、本実施形態では、インターネット１１を介して、端末装置１との間で通信を行う。記憶部は、各種の情報を記憶する。制御部は、番号管理装置２における各種の処理や制御を実行する。
【００１１】
図２は、本発明の一実施形態に係る携帯型の端末装置１の構成の一例を示す概略ブロック図である。
本実施形態に係る端末装置１は、アンテナ５１と、無線部５２と、操作部５３と、表示部５４と、マイク５５と、スピーカー５６と、音声処理部５７と、記憶部５８と、カードの接続部となるカードＩ／Ｆ（カードインタフェース）５９と、制御部６０を備える。
また、図２には、媒体として、複数のＳＩＭカード１０１、１０２、・・・を示してある。複数のＳＩＭカード１０１、１０２、・・・のそれぞれは、同一のＲＡＴ又は異なるＲＡＴについて、それぞれ異なる加入者情報（本実施形態では、電話番号の情報を含む）を記憶する。なお、媒体としては、ＳＩＭの代わりに、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）などが用いられてもよい。
【００１２】
本実施形態に係る端末装置１において行われる動作の概略を示す。無線部５２は、アンテナ５１を用いて、無線の信号を受信し、無線の信号を送信する。キー或いはタッチパネルなどから構成される操作部５３は、ユーザーにより行われる操作を受け付ける。表示部５４は各種の情報を画面に表示する。マイク５５は音声を入力し、スピーカー５６は音声を出力し、音声処理部５７はこれらの音声の信号を処理する。記憶部５８は各種の情報を記憶する。カードＩ／Ｆ５９は、複数のＳＩＭカード１０１、１０２、・・・と同時に接続することが可能な複数のスロットを有しており、それぞれのスロットに接続（挿入）されたそれぞれのＳＩＭカード１０１、１０２、・・・との間で情報を受け渡し（入力や出力）する。制御部６０は、端末装置１における各処理部を制御し、各種の処理を実行する。
ここで、本実施形態に係る端末装置１では、異なるキャリアのＳＩＭ／ＵＳＩＭでの切り替えを可能としている。
なお、本実施形態に係る端末装置１では、一例として無線部５２を１つとしたが、他の例として複数の無線部を備えることで異なる無線方式への切り替えが可能となる。
【００１３】
図３は、本発明の一実施形態に係る端末内管理テーブルの一例を示す図である。この端末内管理テーブルは端末装置１の記憶部５８に記憶される。本実施形態に係る端末内管理テーブルは、「１」や「２」などであるＳＩＭのスロットの番号（ＳＩＭ  Ｓｌｏｔ）と、「０９０−ＸＸＸＸ−ＸＸＸ１」や「０９０−ＸＸＸＸ−ＸＸＸ２」（各Ｘはそれぞれ０〜９の値）などである電話番号（番号）と、待ち受け対象であること（「ＴＲＵＥ」）又は待ち受け対象でないこと（「ＦＡＬＳＥ」）を示す待ち受け対象フラグと、を対応付けて記憶する。待ち受け対象フラグは、待ち受け中である番号（本実施形態では、１つの番号）を特定する。ＳＩＭのスロットの番号は、ＳＩＭカードが接続（挿入）されているカードＩ／Ｆ５９のスロットの番号である。電話番号は、該当するＳＩＭカードに記憶される加入者情報に対応する番号である。待ち受け対象であるか否かは、例えば、ユーザーの操作により、又は、装置による自動的な所定の処理手順に従って、切り替えられる。ここで、装置による自動的な所定の処理手順としては、様々な処理手順が用いられてもよく、一例として、端末装置１の接続部（本実施形態では、カードＩ／Ｆ５９）に接続される媒体（本実施形態では、ＳＩＭカード１０１、１０２、・・・）の抜き差しにより媒体の組み合わせが変化した（変更された）ことなどに応じて為される、待ち受け番号を変更するための自動的な所定の処理手順などを用いることができる。本実施形態では、１つのＳＩＭカードのみが待ち受け対象となる。なお、図３の例では、ＳＩＭのスロットの番号が「１」であるものは、デフォルト（ｄｅｆａｕｌｔ）の設定となっている。
【００１４】
図４は、本発明の一実施形態（第１実施形態）に係る管理装置内管理テーブルの一例を示す図である。本実施形態に係る管理装置内管理テーブルは番号管理装置２の記憶部に記憶される。本実施形態に係る管理装置内管理テーブルは、「ＭＳ−Ａ」や「ＭＳ−Ｂ」などである端末装置１の識別情報（端末ＩＤ）と、「０９０−ＸＸＸＸ−ＸＸＸ１」や「０９０−ＸＸＸＸ−ＸＸＸ３」（各Ｘはそれぞれ０〜９の値）などである待ち受け対象となる第１の電話番号（番号１）と、「０９０−ＸＸＸＸ−ＸＸＸ２」や「０９０−ＸＸＸＸ−ＸＸＸ４」（各Ｘはそれぞれ０〜９の値）などである待ち受け対象ではない第２の電話番号（番号２）及び更にあれば同様な第３の電話番号（番号３）以降と、を対応付けて記憶する。
【００１５】
図５は、本発明の一実施形態に係る端末装置１の電源オン時に行われる処理の手順の一例を示すフローチャート図である。この処理は、端末装置１において、制御部６０により制御して実行する。本実施形態では、制御部６０は、カードＩ／Ｆ５９について、各ＳＩＭカード１０１、１０２、・・・の挿抜（挿入されること、及び、抜かれること）を検出することができる。
まず、端末装置１では、電源がオフ（ＯＦＦ）からオン（ＯＮ）にされると（ステップＳ１）、ＳＩＭカード１０１、１０２、・・・の挿抜が新たにあったか否かを判定する（ステップＳ２）。ステップＳ２において挿抜（抜き挿し）が発生していないと判定（検出）した場合には、電源オン前（電源オフ時）と変更なく同様であり問題ないため、電源オン前の設定と同様のＳＩＭカードで待ち受けをすることとし、つまり、設定されている電話番号（設定番号）で待ち受けをする（ステップＳ３）。
【００１６】
一方、端末装置１では、ステップＳ２において挿抜（抜き挿し）が発生したと判定（検出）した場合には、変更があったため、端末内管理テーブルの情報を初期化し（ステップＳ４）、カードＩ／Ｆ５９に接続されている各ＳＩＭカード１０１、１０２、・・・の情報（加入者情報）を読み込み（ステップＳ５）、読み込んだ全て（１つ以上）のＳＩＭカード１０１、１０２、・・・の情報を表示部５４の画面に表示して、その中から１つのＳＩＭカードの情報（電話番号）を待ち受け対象としてユーザーにより選択することを促す（ステップＳ６）。ステップＳ６においてユーザーは待ち受け対象の電話番号を選択する。続いて、端末装置１では、ユーザーにより選択（指定）された電話番号（指定番号）を検出（確認）し、検出した電話番号（指定番号）で待ち受けをするように、端末内管理テーブルの内容を設定（更新）する（ステップＳ７）。
【００１７】
ステップＳ３において設定番号で待ち受けをすることを決定した場合、及び、ステップＳ７において指定番号で待ち受けをすることを決定した場合、端末装置１では、番号管理装置２に対して、管理装置内管理テーブルの内容（情報）を更新するための情報を送信し（ステップＳ８）、待ち受け（待ち受けの準備）を完了する（ステップＳ９）。
ここで、管理装置内管理テーブルの内容（情報）を更新するための情報としては、例えば、自己の端末装置１の識別情報（端末ＩＤ）や、自己の端末装置１において待ち受け対象とする電話番号（本実施形態では、１つの電話番号）や、自己の端末装置１において待ち受け対象としない電話番号（本実施形態では、待ち受け対象以外の全ての電話番号）を用いる。
番号管理装置２は、端末装置１から受信した情報（更新に関する情報）に基づいて、管理装置内管理テーブルの内容（情報）を更新する。
【００１８】
このように、本実施形態に係る端末装置１では、いずれか１つの加入者情報（電話番号）でのみ待ち受けをし、また、待ち受け対象とする加入者情報（電話番号）がユーザーの操作により切り替えられる。
なお、図５の例とは他の構成例として、端末装置１において、電源オン時に、初期的には１番目のスロットのＳＩＭカードの加入者情報（電話番号）で待ち受けするように設定し、その後、ユーザーの操作により待ち受け対象とする加入者情報（電話番号）が切り替えられる、構成とされてもよい。
【００１９】
ここで、端末装置１では、電源オンが完了し、挿入されたＳＩＭカードの情報の読み出しが完了した後に、更新された端末内管理テーブルが記憶部５８に記憶されて保持される。また、端末装置１では、ユーザーの操作により待ち受けする加入者情報が切り替えられたときにも、端末内管理テーブルの内容が更新される。端末内管理テーブルの情報は、例えば、電源オフから電源オンへ切り替えられたときに、その前後でＳＩＭカードの挿抜がされていない場合、待ち受け対象フラグが「ＴＲＵＥ」である電話番号で待ち受けする、という判断（判定）のために使用される。
番号管理装置２において、管理装置内管理テーブルの情報は、例えば、発信側の端末装置が発信する際に、待ち受け番号を切り替えるか否かを判断（判定）するために使用される。
【００２０】
また、端末装置１では、待ち受け（待ち受けの準備）が完了したときに、或いは、待ち受けする加入者情報の更新があったときに、番号管理装置２に対して、パケット呼経由で待ち受け番号の情報更新を行う。
なお、最近の携帯電話端末やスマートフォンなどの端末装置では、音声呼（ＣＳ呼）とパケット呼（ＰＳ呼）が同時に実施可能であることが一般的となっており、特にスマートフォンの端末装置では、パケット呼は常に接続状態となっていることが一般的となっている。このような端末装置において、位置登録を行ったＳＩＭ等の加入者情報以外に、加入者情報を持つＳＩＭ等が挿入されている場合には、これらの情報に基づいて加入者情報を取得し、ネットワーク（ＮＷ）上の番号管理装置２にその情報を登録する。
【００２１】
図６は、本発明の一実施形態に係る着信要求が発生したときに行われる処理の手順の一例を示すタイムチャート図である。図６の説明では、発信側の端末装置１Ａ、着信側の端末装置１Ｂ、番号管理装置２の動作について説明する。この処理は、発信側の端末装置１Ａにおいて制御部により制御して実行し、着信側の端末装置１Ｂにおいて制御部により制御して実行し、番号管理装置２において制御部により制御して実行する。着信要求を受ける側（発信先）の端末装置（着信側の端末装置１Ｂ）は、例えば、本実施形態の構成（図２）に対応した処理部を有する端末装置（端末装置１と同様なもの）である。また、本実施形態では、発信側の端末装置１Ａについては、着信側の端末装置１Ｂと同様な構成を有するものであるか、或いは、本実施形態の構成に対応したソフトウェアをインストールした端末装置である。
【００２２】
まず、発信側の端末装置１Ａでは、ユーザーの操作により発信要求（例えば、電話番号「０９０−ＸＸＸＸ−ＸＸＸ２」）が入力された場合に（処理Ｔ１）、番号管理装置２に対して、パケット呼上にて、発信番号の問い合わせを実行することとし（処理Ｔ２）、そのための信号（番号問い合わせ要求の信号）を番号管理装置２へ送信する（処理Ｔ３）。
【００２３】
番号管理装置２では、番号問い合わせ要求の信号を受信すると、問い合わせがあった番号が管理対象であるか否かを確認するために、管理装置内管理テーブルの情報を参照して（処理Ｔ４）、問い合わせがあった番号が管理対象であるか否かを判定する（処理Ｔ５）。番号管理装置２では、問い合わせがあった番号が管理対象ではない（管理対象外である）ことを判定した場合には、その旨を問い合わせに対して発信側の端末装置１Ａへ通知する（処理Ｔ６）。一方、番号管理装置２では、問い合わせがあった番号が管理対象であることを判定した場合には、問い合わせがあった番号が現在において待ち受け番号であるか否かを確認するために、管理装置内管理テーブルの情報を参照して（処理Ｔ７）、問い合わせがあった番号が現在において待ち受け番号であるか否か（位置登録されているか否か）を判定する（処理Ｔ８）。
【００２４】
番号管理装置２では、問い合わせがあった番号が現在において待ち受け番号である（現在において待ち受け中である）ことを判定（検出）した場合には、その旨を問い合わせに対して発信側の端末装置１Ａへ通知する（処理Ｔ９）。この場合、発信側の端末装置１Ａでは、前記した発信要求と同じ電話番号（例えば、電話番号「０９０−ＸＸＸＸ−ＸＸＸ２」）に発信処理を行うことを継続し（処理Ｔ１０）、発信処理を完了する（処理Ｔ１１）。
一方、番号管理装置２では、問い合わせがあった番号が現在において待ち受け番号ではない（現在において待ち受け中ではないが、切り替えが可能である）ことを判定（検出）した場合には、その番号に対応する加入者情報を保持する端末装置（ここでは、着信側の端末装置１Ｂ）へ、電話番号を問い合わせがあった番号へ切り替える要求（番号切り替え要求）を通知する（処理Ｔ１２）。この場合、着信側の端末装置１Ｂでは、要求された電話番号へ切り替えるために、要求された電話番号（切り替え先の電話番号）で位置登録を実行し（処理Ｔ１３）、位置登録が成功したか否かを判定し（処理Ｔ１４）、位置登録が成功したことを判定すると、その旨（位置登録の完了）を番号管理装置２へ通知する（処理Ｔ１５）。着信側の端末装置１Ｂでは、番号切り換え後の情報（位置登録した情報）へ、端末内管理テーブルの情報を更新する。
【００２５】
番号管理装置２では、着信側の端末装置１Ｂから位置登録の完了の通知を受けると、位置登録された電話番号（問い合わせがあった番号）を待ち受け番号とするように、管理装置内管理テーブルの情報を更新し（処理Ｔ１６）、その旨（電話番号の切り替えの完了）を発信側の端末装置１Ａへ通知する（処理Ｔ１７）。すると、発信側の端末装置１Ａでは、前記した発信要求と同じ電話番号（例えば、電話番号「０９０−ＸＸＸＸ−ＸＸＸ２」）に発信処理を行うことを継続し（処理Ｔ１８）、発信処理を完了する（処理Ｔ１９）。
【００２６】
以上のように、本実施形態に係る通信システムでは、例えば、モバイルネットワーク１２−Ａ、１２−Ｂ、・・・側に対する変更を行うことなく、インターネット１１上に番号管理装置２を配置することにより、モバイルネットワーク１２−Ａ、１２−Ｂ、・・・との連携が必要なく、また、対応端末（例えば、図６における着信側の端末装置１Ｂ）及び発信端末（例えば、図６における発信側の端末装置１Ａ）に対して、番号管理装置２との連携処理をパケット呼で実装することで、複数のモバイルネットワーク１２−Ａ、１２−Ｂ、・・・の加入者情報（ＳＩＭ）について、着信番号の切り替えを実現することができる。また、本実施形態に係る通信システムでは、着信転送による実現ではないため、転送登録の加入者情報に対しての課金が発生せず、ユーザーに対して料金面のメリットを提供することができる。このように、本実施形態に係る通信システムでは、複数の加入者情報への着信に対する効果的な対応を実現することができる。
【００２７】
［第２実施形態］
本実施形態では、第１実施形態とは異なる構成について詳しく説明し、同様な構成については説明を省略する。概略的には、本実施形態では、番号管理装置２の記憶部に記憶される管理装置内管理テーブルの情報の内容及びそれに関する構成が、第１実施形態とは異なっている。
【００２８】
図７は、本発明の一実施形態（第２実施形態）に係る管理装置内管理テーブルの一例を示す図である。本実施形態に係る管理装置内管理テーブルは、「ＭＳ−Ａ」や「ＭＳ−Ｂ」などである端末装置１の識別情報（端末ＩＤ）と、「０９０−ＸＸＸＸ−ＸＸＸ１」や「０９０−ＸＸＸＸ−ＸＸＸ３」（各Ｘはそれぞれ０〜９の値）などである待ち受け対象となる第１の電話番号（番号１）と、「０９０−ＸＸＸＸ−ＸＸＸ２」や「０９０−ＸＸＸＸ−ＸＸＸ４」（各Ｘはそれぞれ０〜９の値）などである待ち受け対象ではない第２の電話番号（番号２）及び更にあれば同様な第３の電話番号（番号３）以降と、「０９０−ＸＸＸＸ−ＸＸ１０」（各Ｘはそれぞれ０〜９の値）などである切り替え許可番号と、を対応付けて記憶する。
【００２９】
番号管理装置２は、待ち受け番号の切り替えの要求を、着信側の端末装置１Ｂに対して実行する。しかしながら、着信側の端末装置１Ｂでは、待ち受け番号を切り替えて着信を受けたい場合と、着信を受ける必要がない場合があり得る。このため、本実施形態では、番号管理装置２が有する管理装置内管理テーブルに、各端末ＩＤ毎に、切り替え許可番号の情報を登録する。そして、番号管理装置２は、切り替え許可番号に一致する電話番号からの要求（発信）があった場合にのみ、番号の切り替えを実行する。これにより、特定の電話番号からの着信の際にのみ番号を切り替えることができ、利便性を増すことができる。
具体例として、図６における（処理Ｔ３）で発信側の端末装置１Ａから番号管理装置２へ送信される番号問い合わせ要求の信号には、当該発信側の端末装置１Ａの電話番号の情報が含まれる。番号管理装置２は、図６における（処理Ｔ１２）において、発信側の端末装置１Ａの電話番号が管理装置内管理テーブルの切り替え許可番号と一致した場合には番号切り替え要求を発するが、一致しなかった場合には番号切り替え要求を発しない。
【００３０】
他の構成例として、番号管理装置２が有する管理装置内管理テーブルに、各端末ＩＤ毎に、切り替え拒否番号の情報を登録する。そして、番号管理装置２は、切り替え拒否番号に一致する電話番号からの要求（発信）があった場合には、番号の切り替えを拒否する（実行しない）。これにより、特定の電話番号からの着信の際にのみ番号の切り替えを拒否することができ、利便性を増すことができる。
【００３１】
他の構成例として、番号管理装置２が番号切り替えのための処理を自動的に行うのではなく、着信側（着信先）の端末装置１Ｂに対して、まず、着信通知を連絡し、その後、番号を切り替えるか否かを確認する構成とされてもよい。この場合、着信側の端末装置１Ｂでは、番号を切り替えるか否かについて、ユーザーの操作により入力される指示、又は、予め定められた指示を番号管理装置２へ送信する。番号管理装置２は、この指示に従う。これにより、着信側の端末装置１Ｂにおいて、番号を切り替えるか否かについて確認を行うことができる。
【００３２】
他の構成例として、特定の番号に対して着信要求が届いた際には、現在において待ち受け中の番号でない場合には、番号管理装置２（又は、着信側の端末装置１Ｂなど）が、現在において待ち受け中の番号を応答することにより、現在において待ち受け中の番号で着信を実行させる構成とされてもよい。この構成では、番号を切り替える（位置登録をし直す）時間をなくすことができるため、発信側を待たせることなく、着信を受けられるというメリットがある。
【００３３】
他の構成例として、パケット呼を接続することが可能な端末装置１を用いる場合に、番号管理装置２が有する管理情報（例えば、管理装置内管理テーブルの情報）に対して、端末ＩＤ毎に、パケット呼で着信することが可能なＩＰ（Ｉｎｔｅｒｎｅｔ  Ｐｒｏｔｏｃｏｌ）電話等の番号を登録する。そして、発信側の端末装置１Ａにより発信要求が為された番号が待ち受けしていない番号であった場合には、番号管理装置２などにより、待ち受け番号を切り替えることを行うか、又は、対応するＩＰ電話等のクライアントの番号へ切り替えて、そこに着信させる。これにより、ＩＰ電話等に着信を実行させることができる。
【００３４】
なお、以上に説明した各装置（例えば、端末装置１、番号管理装置２）における任意の処理部の機能を実現するためのプログラムを、コンピュータ読み取り可能な記録媒体に記録し、そのプログラムをコンピュータシステムに読み込ませて実行するようにしてもよい。なお、ここで言う「コンピュータシステム」とは、ＯＳ（Ｏｐｅｒａｔｉｎｇ  Ｓｙｓｔｅｍ）や周辺機器等のハードウェアを含むものとする。また、「コンピュータシステム」は、インターネットやＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピュータシステムに内蔵されるハードディスク等の記憶装置のことを言う。更に、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ：Ｒａｎｄｏｍ  Ａｃｃｅｓｓ  Ｍｅｍｏｒｙ）のように、一定時間プログラムを保持しているものも含むものとする。
【００３５】
また、上記のプログラムは、このプログラムを記憶装置等に格納したコンピュータシステムから、伝送媒体を介して、或いは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであってもよい。更に、上記のプログラムは、前述した機能をコンピュータシステムに既に記録されているプログラムとの組み合わせで実現できるもの、いわゆる差分ファイル（差分プログラム）であってもよい。
【００３６】
また、前述した機能の一部又は全部を、ＬＳＩ（Ｌａｒｇｅ  Ｓｃａｌｅ  Ｉｎｔｅｇｒａｔｉｏｎ）等の集積回路として実現してもよい。前述した各機能は、個別にプロセッサ化されてもよいし、或いは、一部又は全部を集積してプロセッサ化されてもよい。また、集積回路化の手法としては、ＬＳＩに限られず、専用回路又は汎用プロセッサで実現されてもよい。また、半導体技術の進歩によりＬＳＩに代替する集積回路化の技術が出現した場合には、当該技術による集積回路が用いられてもよい。
【００３７】
以上、この発明の実施形態について図面を参照して詳述してきたが、具体的な構成はこの実施形態に限られるものではなく、この発明の要旨を逸脱しない範囲の設計等も含まれる。
【００３８】
＜構成例＞
（１）端末装置１を識別する情報（図４や図７の例では、端末ＩＤ）と、待ち受け中である番号の情報と、待ち受け中ではない番号の情報と、を対応付けて記憶する記憶部（図４や図７に示される管理装置内管理テーブルを記憶する記憶部）と、発信側の端末装置（図６の例では、発信側の端末装置１Ａ）から前記待ち受け中ではない番号に対する発信があったことを検出した場合に、前記待ち受け中ではない番号に対応付けられた前記識別情報を有する端末装置（図６の例では、着信側の端末装置１Ｂ）に対して、前記待ち受け中ではない番号を待ち受け中である番号へ切り替える要求を送信し、当該切り替えが完了した場合に、その旨を前記発信側の端末装置へ通知する制御部と、を備える管理装置（以上の実施形態では、番号管理装置２）である。
このような構成により、発信側の端末装置から待ち受け中ではない番号（着信側の端末装置における番号）に対する発信があった場合においても、待ち受け中ではない番号を待ち受け中である番号へ切り替えて、通信（例えば、通話）を実現することができる。
（２）前記記憶部は、前記端末装置１を識別する情報に対応付けて、更に、切り替え許可番号又は切り替え拒否番号のうちの一方又は両方を記憶し、前記制御部は、前記切り替え許可番号が記憶されている場合には、前記発信側の端末装置の番号が前記切り替え許可番号と一致した場合に前記番号の切り替えを実行し、また、前記切り替え拒否番号が記憶されている場合には、前記発信側の端末装置の番号が前記切り替え拒否番号と一致した場合に前記番号の切り替えを不実行とする、上記した（１）に記載の管理装置である。
このような構成により、特定の番号（切り替え許可番号）からの発信に対して着信側の待ち受け番号を切り替えることや、又は、特定の番号（切り替え拒否番号）からの発信に対して着信側の待ち受け番号の切り替えを拒否することができる。
（３）それぞれ異なる番号の情報を記憶する複数の媒体（以上の実施形態では、ＳＩＭカード１０１、１０２、・・・）と接続する接続部（以上の実施形態では、カードＩ／Ｆ５９）と、前記接続部に接続される前記媒体に記憶される前記番号の情報について、待ち受け中である番号を特定する情報（図３に示される端末内管理テーブルの例では、待ち受け対象フラグの情報）を記憶する記憶部５８と、ユーザーの操作或いは所定の処理手順により待ち受け中である番号が変更された場合に、前記記憶部５８に記憶される情報を更新し、前記更新に関する情報を管理装置（以上の実施形態では、番号管理装置２）に対して送信し、また、前記管理装置から待ち受け中ではない番号を待ち受け中である番号へ切り替える要求を受信した場合に、該当する待ち受け中ではない番号を待ち受け中である番号へ切り替える制御部６０と、を備える端末装置１である。
このような構成により、例えば、ユーザの操作によって待ち受け番号の変更が指示された場合や、或いは、接続部に接続される媒体の組み合わせが変化した（変更された）ことなどに応じて待ち受け番号を変更するための自動的な所定の処理手順が為された場合においても、待ち受け番号を変更（更新）することができ、また、発信側の端末装置から待ち受け中ではない番号（着信側の端末装置における番号）に対する発信があった場合においても、待ち受け中ではない番号を待ち受け中である番号へ切り替えて、通信（例えば、通話）を実現することができる。
（４）端末装置１と、管理装置（以上の実施形態では、番号管理装置２）を有し、前記端末装置１は、それぞれ異なる番号の情報を記憶する複数の媒体（以上の実施形態では、ＳＩＭカード１０１、１０２、・・・）と接続する接続部（以上の実施形態では、カードＩ／Ｆ５９）と、前記接続部に接続される前記媒体に記憶される前記番号の情報について、待ち受け中である番号を特定する情報（図３に示される端末内管理テーブルの例では、待ち受け対象フラグの情報）を記憶する記憶部５８と、ユーザーの操作或いは所定の処理手順により待ち受け中である番号が変更された場合に、前記記憶部５８に記憶される情報を更新し、前記更新に関する情報を前記管理装置に対して送信し、また、前記管理装置から待ち受け中ではない番号を待ち受け中である番号へ切り替える要求を受信した場合に、該当する待ち受け中ではない番号を待ち受け中である番号へ切り替える制御部６０と、を備え、前記管理装置は、端末装置１を識別する情報（図４や図７の例では、端末ＩＤ）と、待ち受け中である番号の情報と、待ち受け中ではない番号の情報と、を対応付けて記憶する記憶部（図４や図７に示される管理装置内管理テーブルを記憶する記憶部）と、発信側の端末装置（図６の例では、発信側の端末装置１Ａ）から前記待ち受け中ではない番号に対する発信があったことを検出した場合に、前記待ち受け中ではない番号に対応付けられた前記識別情報を有する端末装置（図６の例では、着信側の端末装置１Ｂ）に対して、前記待ち受け中ではない番号を待ち受け中である番号へ切り替える要求を送信し、当該切り替えが完了した場合に、その旨を前記発信側の端末装置へ通知し、また、端末装置１から受信した更新に関する情報に基づいて、前記記憶部の情報を更新する制御部と、を備える、通信システムである。
このような構成により、例えば、端末装置のユーザの操作によって待ち受け番号の変更が指示された場合や、或いは、端末装置の接続部に接続される媒体の組み合わせが変化した（変更された）ことなどに応じて待ち受け番号を変更するための自動的な所定の処理手順が為された場合においても、待ち受け番号を変更（更新）することができ、また、発信側の端末装置から待ち受け中ではない番号（着信側の端末装置における番号）に対する発信があった場合においても、待ち受け中ではない番号を待ち受け中である番号へ切り替えて、通信（例えば、通話）を実現することができる。
（５）端末装置１は、それぞれ異なる番号の情報を記憶する複数の媒体（以上の実施形態では、ＳＩＭカード１０１、１０２、・・・）と接続する接続部（以上の実施形態では、カードＩ／Ｆ５９）に接続される前記媒体に記憶される前記番号の情報について、待ち受け中である番号を特定する情報（図３に示される端末内管理テーブルの例では、待ち受け対象フラグの情報）を記憶し、ユーザーの操作或いは所定の処理手順により待ち受け中である番号が変更された場合に、前記記憶される情報を更新し、前記更新に関する情報を管理装置（以上の実施形態では、番号管理装置２）に対して送信し、前記管理装置は、端末装置１を識別する情報（図４や図７の例では、端末ＩＤ）と、待ち受け中である番号の情報と、待ち受け中ではない番号の情報と、を対応付けて記憶し、発信側の端末装置（図６の例では、発信側の端末装置１Ａ）から前記待ち受け中ではない番号に対する発信があったことを検出した場合に、前記待ち受け中ではない番号に対応付けられた前記識別情報を有する端末装置（図６の例では、着信側の端末装置１Ｂ）に対して、前記待ち受け中ではない番号を待ち受け中である番号へ切り替える要求を送信し、当該切り替えが完了した場合に、その旨を前記発信側の端末装置へ通知し、前記端末装置１は、前記管理装置から待ち受け中ではない番号を待ち受け中である番号へ切り替える要求を受信した場合に、該当する待ち受け中ではない番号を待ち受け中である番号へ切り替え、前記管理装置は、前記端末装置１から前記更新に関する情報を受信した場合に、受信した情報に基づいて、前記管理装置において記憶される情報を更新する、通信方法である。
このような構成により、例えば、端末装置のユーザの操作によって待ち受け番号の変更が指示された場合や、或いは、端末装置の接続部に接続される媒体の組み合わせが変化した（変更された）ことなどに応じて待ち受け番号を変更するための自動的な所定の処理手順が為された場合においても、待ち受け番号を変更（更新）することができ、また、発信側の端末装置から待ち受け中ではない番号（着信側の端末装置における番号）に対する発信があった場合においても、待ち受け中ではない番号を待ち受け中である番号へ切り替えて、通信（例えば、通話）を実現することができる。
【符号の説明】
【００３９】
１…端末装置、２…番号管理装置、１１…インターネット、１２−Ａ、１２−Ｂ…モバイルネットワーク、５１…アンテナ、５２…無線部、５３…操作部、５４…表示部、５５…マイク、５６…スピーカー、５７…音声処理部、５８…記憶部、５９…カードＩ／Ｆ、６０…制御部、１０１、１０２…ＳＩＭカード
【図１】
2014183381.tif 000003
【図２】
2014183381.tif 000004
【図３】
2014183381.tif 000005
【図４】
2014183381.tif 000006
【図５】
2014183381.tif 000007
【図６】
2014183381.tif 000008
【図７】
2014183381.tif 000009